(57)【要約】  限られたスペースで表示面の傾斜角度の調節を行うことができる表示装置を提供する。表示装置（１）に取り付けるための突起部（２０）を有するスタンド（１１）と、スタンドを収納する収納部（１２）と、収納部に設けられ、突起部を嵌合させてスタンドを回動可能にする複数の穴部（１３）と、を備え、穴部に突起部を嵌合させてスタンドを回動させ、収納部の壁面（１５）へのスタンドの押し当てを穴部ごとに行うことによって角度を調節する。
2019130392.tif 000002
【特許請求の範囲】
【請求項１】
表示画面の角度をスタンドにより調節する表示装置であって、  前記表示装置に取り付けるための突起部を有する前記スタンドと、  前記スタンドを収納する収納部と、  前記収納部に設けられ、前記突起部を嵌合させて前記スタンドを回動可能にする複数の穴部と、を備え、  前記穴部に前記突起部を嵌合させて前記スタンドを回動させ、前記収納部の壁面への前記スタンドの押し当てを前記穴部ごとに行うことによって前記角度を調節することを特徴とする表示装置。
【請求項２】
前記穴部の間に設けられ、前記突起部が嵌合された前記スタンドを他の穴部へ移動させる通路であるスリットを更に備え、  前記突起部は前記スリット幅に応じて加工されたことを特徴とする請求項１に記載の表示装置。
【請求項３】
前記角度はそれぞれの穴部と前記壁面との距離によって決定されることを特徴とする請求項１又は２に記載の表示装置。
【請求項４】
前記角度は前記スタンドの脚の長さを調節することによって決定されることを特徴とする請求項１から３のいずれか１つに記載の表示装置。
【請求項５】
前記角度は前記穴部の間の距離によって決定されることを特徴とする請求項１から４のいずれか１つに記載の表示装置。
【請求項６】
前記突起部は前記スタンドの長手方向に対して左右対称に形成され、それぞれの前記突起部を前記収納部内で対向する穴部にそれぞれ嵌合させることを特徴とする請求項１から５のいずれか１つに記載の表示装置。
【発明の詳細な説明】
【技術分野】
【０００１】  本発明は、スタンドにより表示面の傾斜角度を調節する表示装置に関する。
【背景技術】
【０００２】  従来からスタンドを用いて表示面の傾斜角度を調節する表示装置がある（下記の特許文献１を参照）。このような表示装置は背面にスタンドを取り付け、スタンドを回転させることによって角度調節するようになっている。一方で、表示装置の小型化が進み、基板などの部品を搭載できる内部スペースは限られているため、表示装置の背面カバーに密着して基板などが配置されている。
【先行技術文献】
【特許文献】
【０００３】
【特許文献１】特開２０００−１０５５３８号公報
【発明の概要】
【発明が解決しようとする課題】
【０００４】  しかし、従来の表示装置のスタンドは、背面カバーの広い範囲において穴を開けてネジなどで取り付けられるため、背面カバーに密着して基板などが配置される表示装置では角度調節可能なスタンドを設けることが困難であった。また、複数のスタンドによって複数の角度を調節する表示装置では角度ごとに部品が増えるため、スタンドを設けることが一層困難であり、コスト高の要因にもなった。【０００５】  本発明は、上記課題に鑑み、限られたスペースで表示面の傾斜角度の調節を行うことができる表示装置を提供することを目的とする。
【課題を解決するための手段】
【０００６】  上記目的を達成するために、本発明は、表示画面の角度をスタンドにより調節する表示装置であって、前記表示装置に取り付けるための突起部を有する前記スタンドと、前記スタンドを収納する収納部と、前記収納部に設けられ、前記突起部を嵌合させて前記スタンドを回動可能にする複数の穴部と、を備え、前記穴部に前記突起部を嵌合させて前記スタンドを回動させ、前記収納部の壁面への前記スタンドの押し当てを前記穴部ごとに行うことによって前記角度を調節することを特徴とする。【０００７】  また、本発明の表示装置において、前記穴部の間に設けられ、前記突起部が嵌合された前記スタンドを他の穴部へ移動させる通路であるスリットを更に備え、前記突起部が前記スリット幅に応じて加工されたことは好ましい態様である。【０００８】  また、本発明の表示装置において、前記角度がそれぞれの穴部と前記壁面との距離によって決定されることは好ましい態様である。【０００９】  また、本発明の表示装置において、前記角度が前記スタンドの脚の長さを調節することによって決定されることは好ましい態様である。【００１０】  また、本発明の表示装置において、前記角度が前記穴部の間の距離によって決定されることは好ましい態様である。【００１１】  また、本発明の表示装置において、前記突起部が前記スタンドの長手方向に対して左右対称に形成され、それぞれの前記突起部を前記収納部内で対向する穴部にそれぞれ嵌合させることは好ましい態様である。
【発明の効果】
【００１２】  本発明によれば、限られたスペースで表示面の傾斜角度の調節を行うことができる。
【図面の簡単な説明】
【００１３】
【図１】実施形態における表示装置の底面部の一例を示す斜視図である。
【図２】実施形態におけるスタンドの斜視図である。
【図３】実施形態におけるスタンドを固定するための穴部と移動を可能にするスリットを示す図である。
【図４】実施形態におけるスタンドの収納時の底面からの斜視図である。
【図５】実施形態におけるスタンドの展開時の底面からの斜視図である。
【図６Ａ】実施形態における表示装置の傾斜角度が０度の状態の側面図である。
【図６Ｂ】実施形態における表示装置の傾斜角度が０度の状態の背面の一部を拡大した拡大図である。
【図６Ｃ】実施形態における表示装置の傾斜角度が０度の状態のスタンドの断面図である。
【図７Ａ】実施形態における表示装置の傾斜角度が５度の状態の側面図である。
【図７Ｂ】実施形態における表示装置の傾斜角度が５度の状態の背面の一部を拡大した拡大図である。
【図７Ｃ】実施形態における表示装置の傾斜角度が５度の状態のスタンドの断面図である。
【図８Ａ】実施形態における表示装置の傾斜角度が１０度の状態の側面図である。
【図８Ｂ】実施形態における表示装置の傾斜角度が１０度の状態の背面の一部を拡大した拡大図である。
【図８Ｃ】実施形態における表示装置の傾斜角度が１０度の状態のスタンドの断面図である。
【図９Ａ】実施形態におけるスタンドのスリット移動時の表示装置の背面図である。
【図９Ｂ】実施形態におけるスリット移動時のスタンドの拡大図である。
【図９Ｃ】実施形態におけるスリット移動時のスタンドの斜視図である。
【図１０Ａ】実施形態におけるスタンドの４段階のうち０度の次に傾斜角度が小さい場合の表示装置の背面図である。
【図１０Ｂ】実施形態におけるスタンドの４段階のうち０度の次に傾斜角度が小さい場合のスタンドの拡大図である。
【図１０Ｃ】実施形態におけるスタンドの４段階のうち０度の次に傾斜角度が小さい場合のスタンドの断面図である。
【図１０Ｄ】実施形態におけるスタンドの４段階のうち０度の次に傾斜角度が小さい場合の表示装置の底面側からの斜視図である。
【図１１Ａ】実施形態における傾斜角度が１５度の場合の表示装置の背面図である。
【図１１Ｂ】実施形態における傾斜角度が１５度の場合のスタンドの拡大図である。
【図１１Ｃ】実施形態における傾斜角度が１５度の場合のスタンドの断面図である。
【図１１Ｄ】実施形態における傾斜角度が１５度の場合の表示装置の底面側からの斜視図である。
【図１２Ａ】実施形態における穴部間の距離を離した場合の表示装置の背面図である。
【図１２Ｂ】実施形態における穴部間の距離を離した場合の穴部の拡大図である。
【発明を実施するための形態】
【００１４】  以下、実施形態について図面を参照して説明する。図１は実施形態における表示装置の底面部の一例を示す斜視図である。表示装置１は情報を表示するモニタであって、例えば手のひら静脈認証装置における液晶ディスプレイなどであるが、液晶ディスプレイに限定されるものではない。表示装置１はディスプレイ（表示画面）の視認性やディスプレイへ手をかざす際の操作性をよくするために角度（傾斜）をつけられる、すなわち角度調節できるようになっている。
【００１５】  例えば、店舗などに表示装置１が設置され、店舗内の照明や外光などの影響により視認性が悪い場合には、角度を調節してディスプレイの視認性を向上させることが可能である。また、表示装置１が手のひら静脈認証装置のように手のひらをディスプレイにかざすものの場合、手をかざすユーザによって身長が異なるため、身長に応じて角度を調節して操作性を向上させることが可能である。
【００１６】  角度調節は、後述するスタンド１１、スタンド収納部（以下、単に収納部と言う）１２、穴部１３、スリット１４を用いて行うことができ、これらは表示装置１の底面部１０に設けられている（図１を参照）。底面部１０は表示装置１の底面に取り外し可能な構造、例えば表示装置１の本体側に設けられた凸部と底面部１０側に設けられた凹部を嵌合させる構造により表示装置１の本体に結合される。結合のための構造はこれに限定されるものではなく、他の構造によって結合されるものであってもよい。なお、表示装置１は、図１に示すように表示装置１へ電源を供給したり、情報を伝達したりするための配線群１６を接続することが可能となっている。
【００１７】  図１から図５に示すように、底面部１０にはスタンド１１（１１ａ、１１ｂ）、スタンド１１を収納する収納部１２（１２ａ、１２ｂ）、スタンド１１を嵌合させるための穴部１３（１３ａ、１３ｂ、１３ｃ、１３ｄ）、複数の穴部１３を結ぶスリット１４（１４ａ、１４ｂ、１４ｃ、１４ｄ）が設けられている。
【００１８】  穴部１３それぞれには収納部１２内において対向するペアとなる穴部が設けられ、後述するスタンド１１の突起部２０がペアとなる穴部１３それぞれに嵌合される。また、スリット１４も同様に収納部１２内において対向するペアとなるスリットが設けられ、後述するように穴部１３間をスタンド１１が移動する際の通路として用いられる。
【００１９】  スタンド１１は、底面部１０に取り付け、収納部１２から露出させることで表示装置１のディスプレイ面に角度をつけるものである。角度のつけ方としては、スタンド１１を穴部１３に嵌合後に回動させ、図１に示す収納部１２の壁面１５（１５ａ、１５ｂ）にスタンド１１を押し当てて（当接させて）机などに表示装置１を置くことでスタンド１１を固定して角度をつける。ここでの壁面１５は収納部１２の壁面のうちスタンド１１を回動させた際に当接する壁面である。
【００２０】  また、スタンド１１は、図２に示すようにスタンド１１の長手方向に対して左右対称に突起部２０（２０ａ、２０ｂ）が形成されている。突起部２０を穴部１３に嵌合させることによりスタンド１１を取り付ける。すなわち、突起部２０はスタンド１１の長手方向に対して左右対称に形成され、それぞれの突起部２０を収納部１２内で対向する穴部１３にそれぞれ嵌合させる。例えば、突起部２０ａを穴部１３ａに嵌合させ、穴部２０ｂを穴部１３ａに対向するペアの穴部１３ｂに嵌合させてスタンド１１を収納部１２内に取り付ける。
【００２１】  なお、ここではスタンド１１を取り付ける際、２つの突起部２０（例えば、２０ａと２０ｂ）と２つの穴部１３（例えば、１３ａと１３ｂ）を用いているが、１つの突起部２０と対応する１つの穴部１３のみを用いて取り付けるようにしてもよい。
【００２２】  また、スタンド１１は、穴部１３へ嵌合する際、嵌合しやすいようにスタンド１１の一部に切り込み部２１（２１ａ、２１ｂ）が設けられていてもよい。これにより、スタンド１１の横手方向において伸縮する。そのため、嵌合時には一方の突起部２０（例えば２０ａ）を穴部１３（例えば、１３ａ）に嵌め込み、その状態でスタンド１１の横手方向に力を加えて伸縮させ、もう一方の突起部２０（例えば、２０ｂ）を穴部１３ａのペアとなる穴部１３（例えば、１３ｂ）に押し込む。これにより、容易にスタンド１１を穴部１３に嵌合させることができる。この場合のスタンド１１は伸縮可能な素材、例えばプラスチックなどの素材が好ましいが、これに限定されるものではない。
【００２３】  また、スタンド１１の突起部２０には図２に示すように切り欠き部２２（２２ａ、２２ｂ）が施されている。切り欠き部２２は突起部２０の円柱部分の一部を平らに加工したものである。すなわち、突起部２０はスリット１４の幅３１に応じて加工されている。ここでは、図３に示すようにスリット１４（１４ａ）の幅３１を穴部１３（１３ａ）の円の直径の長さ３０より狭くするよう構成されている。
【００２４】  このような構成とする理由がある。図５に示すようにスタンド１１（１１ａ、１１ｂ）が収納部１２（１２ａ、１２ｂ）から展開され（露出し）、スタンド１１が後述する収納部１２の壁面１５に押し当てられた状態で机などに表示装置１が置かれることによりディスプレイ面に角度がつけられる。この状態（展開された状態）で表示装置１の上部から力が加えられることがあるが、力を加えられても突起部２０がスリット１４を介して他の穴部１３へ移動しないように、スリット１４の幅３１を穴部１３の円の直径の長さ３０より狭くしている。これにより、力が加わっても突起部２０が他の穴部１３へ移動しにくく、運用時に設定した角度を維持することができる。
【００２５】  一方で、後述するように、角度を調節する際にはスタンド１１の突起部２０を他の穴部１３へ嵌合させるため、穴部１３の間を容易に移動できるようにする必要がある。そのため、突起部２０の一部に切り欠き部２２を設け、切り欠いた突起部２０がスリット１４に引っかかることなく通過できるようにしている。スムーズにスリット１４を通過できるようにするため、切り欠いた平らな面の端から対向する円形端までの長さ２３がスリット１４の幅３１と同等か短くなるように切り欠く（図２を参照）。ここでは切り欠いた平らな面は１つのみであるが、上記平らな面に対向する側にも平らな面を設け、平らな面を２つ設けるなどしてもよい。
【００２６】  収納部１２は、図１に示すようにスタンド１１を収納する空間であって、底面部１０の一部をくり抜いたものであり、収納部１２の空間は４つの壁面で覆われている。この例では、収納部１２は直方体（又は立方体）の形状の空間となっているがこれに限定されるものではなく、円柱形など他の形状の空間であってもよい。
【００２７】  収納部１２には穴部１３及びスリット１４が設けられており、例えば収納部１２ａには穴部１３ａ、１３ｂ及びスリット１４ａ、１４ｂが設けられている。穴部１３ａと穴部１３ｂ及びスリット１４ａとスリット１４ｂは、それぞれ収納部１２内において対向しており、それぞれがペアとなっている。
【００２８】  収納部１２にスタンド１１（１１ａ、１１ｂ）が収納されている場合には図４に示すような状態となり、収納部１２からスタンド１１（１１ａ、１１ｂ）が展開している（露出している）場合には図５に示すような状態となる。
【００２９】  スタンド１１が収納部１２に収納されている場合にはディスプレイ面に角度がつかず、表示装置１が置かれる机面に対してディスプレイ面はフラットな状態となる。一方、スタンド１１が収納部１２から展開され、収納部１２の壁面１５（１５ａ、１５ｂ）にスタンド１１が押し当てられた状態で表示装置１が机に置かれるとディスプレイ面に角度がついた状態となる（図５を参照）。
【００３０】  穴部１３は、スタンド１１の突起部２０を嵌合させてスタンド１１を底面部１０に取り付けるためのものであり、スタンド１１を回動可能にするものである。穴部１３は、収納部１２においてそれぞれペアとなる対向する穴部を有している。例えば、図１では穴部１３ａと穴部１３ｂ、穴部１３ｃと穴部１３ｄがそれぞれペアの穴部である。
【００３１】  なお、穴部１３の数はこれに限定されるものではなく、さらに多くの穴部があってもよい。穴部１３が横方向の一直線上に並んでいるため、穴部１３が収納部１２の所定の壁面１５から遠ざかるにつれてスタンド１１の回動範囲が大きくなり、スタンド１１によって形成される角度が小さくなる。よって、穴部１３が壁面１５から遠ざかるにつれて表示装置１のディスプレイ面の傾斜が緩やかになる。すなわち、角度はそれぞれの穴部と収納部１２の壁面１５との距離によって決定、調節される。
【００３２】  スリット１４は、それぞれの穴部１３の間に設けられ、スタンド１１を他の穴部１３へ移動させる通路となるものである。スリット１４は穴部１３と同様に、収納部１２においてそれぞれペアとなる対向するスリットを有している。例えば、図１ではスリット１４ａとスリット１４ｂ、スリット１４ｃとスリット１４ｄがペアのスリットである。スリット１４は、穴部１３間を結ぶ通路であるため、穴部１３が増えればスリット１４の数も増える。
【００３３】  スリット１４の幅３１は、穴部１３の円の直径の長さ３０よりも狭くなっている。これはスタンド１１を穴部１３に嵌合させ、角度をつけた状態で机などに表示装置１が置かれ、表示装置１の上部から力が加わった際にスタンド１１の突起部２０が他の穴部１３へ移動しないようにするためである。スリット１４の幅３１が穴部１３の円の直径の長さ３０より狭くなっていても、角度調節をするためにスタンド１１を他の穴部１３へ移動させる際に容易に行えるように、突起部２０に切り欠き部２２が設けられている。これにより、スタンド１１の固定時には突起部２０は他の穴部１３へ移動せず、角度調節時には容易に突起部２０を他の穴部１３へ移動させることが可能となる。
【００３４】  次に、実施形態における表示装置の角度調節構造の具体例について説明する。まず、表示装置１の傾斜角度が０度の状態について図６Ａから図６Ｃを用いて説明する。図６Ａは表示装置１の傾斜角度が０度の状態の表示装置１の側面図である。図６Ａに示すように、表示装置１の傾斜角度が０度のため、表示装置１は机の設置面６０に対して水平に置かれた状態となっている。このときの背面（配線群１６が接続される面）の一部であるスタンド１１が嵌合された穴部１３を含む領域を拡大したものを図６Ｂに示す。
【００３５】  表示装置１の傾斜角度が０度の場合、スタンド１１は穴部１３に嵌合した状態で収納部１２に収納されている。すなわち、スタンド１１は露出していない。このとき、スタンド１１の突起部２０の切り欠き部２２の平らな面はスリット１４における移動方向６１に対して平行でない。これにより、スリット１４を介してスタンド１１の突起部２０が他の穴部１３へ移動しにくくしている。
【００３６】  このときの収納部１１に収納されたスタンド１１の断面図を図６Ｃに示す。図６Ｃに示すように、スタンド１１は露出しない形で収納部１２に収納されている。
【００３７】  次に、表示装置１の傾斜角度が５度の状態について図７Ａから図７Ｃを用いて説明する。図７Ａは表示装置１の傾斜角度が５度の状態の表示装置１の側面図である。図７Ａに示すように、表示装置１の傾斜角度が５度のため、表示装置１は机の設置面６０に対して５度傾いた状態となっている。このときの背面の一部であるスタンド１１が嵌合された穴部１３を含む領域を拡大したものを図７Ｂに示す。
【００３８】  表示装置１の傾斜角度が５度の場合、傾斜角度が０度の場合にスタンド１１の突起部２０が嵌合していた穴部１３とは異なる穴部１３に突起部２０が嵌合されている。これは収納されているスタンド１１を回動させ、収納部１２から展開し、突起部２０の切り欠き部２２の平らな面をスリット１４における移動方向６１に対して平行にしてスリット１４を介して突起部２０を他の穴部１３へ移動させ、嵌合させた状態である。
【００３９】  このとき、スタンド１１の突起部２０の切り欠き部２２の平らな面はスリット１４における移動方向６１に対して平行でない。これにより、表示装置１の上部などから力が加わってもスリット１４を介してスタンド１１の突起部２０が他の穴部１３へ移動しにくくなる。
【００４０】  このときのスタンド１１の断面図を図７Ｃに示す。図７Ｃに示すように、スタンド１１は収納部１２の壁面１５に押し当てられる（当接する）ことによって机の設置面６０に置かれた際に固定され、表示装置１に傾斜角度（５度）がつけられる。
【００４１】  次に、表示装置１の傾斜角度が１０度の状態について図８Ａから図８Ｃを用いて説明する。図８Ａは表示装置１の傾斜角度が１０度の状態の表示装置１の側面図である。図８Ａに示すように、表示装置１の傾斜角度が１０度のため、表示装置１は机の設置面６０に対して１０度傾いた状態となっている。このときの背面の一部であるスタンド１１が嵌合された穴部１３を含む領域を拡大したものを図８Ｂに示す。
【００４２】  表示装置１の傾斜角度が１０度の場合、傾斜角度が５度の場合にスタンド１１の突起部２０が嵌合していた穴部１３とは異なる穴部１３に突起部２０が嵌合されている。傾斜角度５度から１０度に変更する場合には、スタンド１１を回動させ、突起部２０の切り欠き部２２の平らな面をスリット１４における移動方向６１に対して平行にしてスリット１４を介して突起部２０を他の穴部１３へ移動させ、嵌合させる。嵌合された穴部１３は傾斜角度０度の際に突起部２０が嵌合されていた穴部１３と同じである。ただし、突起部２０の切り欠き部２２の平らな面の向きはそれぞれの傾斜角度の際に穴部１３に嵌合された状態の向きとは異なる。角度をつけるためにスタンド１１が回動しているためである。
【００４３】  このとき、スタンド１１の突起部２０の切り欠き部２２の平らな面はスリット１４における移動方向６１に対して平行でない。これにより、表示装置１の上部などから力が加わってもスリット１４を介してスタンド１１の突起部２０が他の穴部１３へ移動しにくくなる。
【００４４】  このときのスタンド１１の断面図を図８Ｃに示す。図８Ｃに示すように、スタンド１１は収納部１２の壁面１５に押し当てられる（当接する）ことによって机の設置面６０に置かれた際に固定され、表示装置１に傾斜角度（１０度）がつけられる。
【００４５】  次に、スタンド１１の突起部２０のスリット１４の移動の詳細について説明する。図９Ａはスタンド１１の突起部２０のスリット移動時の表示装置１の背面を示す図である。突起部２０のスリット移動時には表示装置１を持ち上げ、スタンド１１を回動させ、突起部２０の切り欠き部２２の平らな面をスリット１４における移動方向６１に対して平行にする。スリット移動時のスタンド１１の拡大図を図９Ｂ、斜視図を図９Ｃに示す。
【００４６】  図９Ｂ及び図９Ｃに示すように、切り欠き部２２の平らな面がスリット１４における移動方向６１に対して平行になるようにスタンド１１を回動させた状態が示されている。これにより、突起部２０がスリット１４に引っ掛からずにスリット移動が容易にでき、さらにスタンド１１の展開時（固定時）には強固な構造になる。
【００４７】  次に、傾斜角度を４段階とした場合の表示装置１について説明する。図１０Ａは４段階のうち０度の次に傾斜角度が小さい場合の表示装置１の背面を示す図である。傾斜角度が４段階とは、例えば０度、３度、５度、１０度などの角度の段階であり、これら４段階の傾斜角度をつけるために３つの穴部１３とそれぞれの穴部１３をつなぐ２つのスリット１４が必要となる。このときのスタンド１１（１１ａ）の拡大図を図１０Ｂ、断面図を図１０Ｃに示す。
【００４８】  図１０Ｂに示すように、スタンド１１ａの突起部２０の嵌合可能な穴部１３は３つあり、穴部１３ｉに突起部２０が嵌合され、図１０Ｃに示すようにスタンド１１ａが収納部１２の壁面１５に押し当てられることによって４段階のうち０度の次に小さい傾斜角度（例えば、３度）が形成される。さらに傾斜角度（例えば、５度）をつける場合には突起部２０をスリット１４上で移動させて中央の穴部１３ｋに嵌合させ、さらに傾斜角度（例えば、１０度）をつける場合には突起部２０をスリット１４上で移動させて右端の穴部１３ｍに嵌合させる。
【００４９】  スタンド１１（１１ａ、１１ｂ）の４段階のうち０度の次に傾斜角度が小さい場合の表示装置１の底面側からの斜視図を図１０Ｄに示す。この状態で机などに置かれると表示装置１に最小の傾斜角度をつけることができる。このように、穴部１３の数を増やすことで多段階的に傾斜角度をつけることができる。
【００５０】  次に、スタンド１１の脚の長さや穴部１３間の距離を調節することで傾斜角度を調節することについて説明する。
【００５１】  まず、スタンド１１の脚の長さを調節して傾斜角度を調節することについて説明する。図１１Ａは傾斜角度１５度の場合における表示装置１の背面図である。ここでのスタンド１１（１１ａ、１１ｂ）は上述したスタンド１１（１１ａ、１１ｂ）の脚よりも長いものである。なお、ここでは穴部１３が２つのみであるが、上述したように穴部１３の数とスリット１４の数を増やすことでさらに角度調節を細かく行うことが可能となる。
【００５２】  図１１Ｂは傾斜角度が１５度の場合のスタンド１１ａの拡大図を示し、図１１Ｃはそのスタンド１１ａの断面図を示している。スタンド１１（１１ａ）の脚の長さを長くすることによって、同じ穴部１３に突起部２０を嵌合させ、収納部１２の壁面１５に押し当てた脚の短いスタンドよりも傾斜角度をつけることが可能となる。この場合の表示装置１の底面側からの斜視図を図１１Ｄに示す。この状態で机などに置かれると表示装置１に１５度の傾斜角度をつけることができる。なお、スタンド１１の脚は伸縮可能にすることも可能である。これにより、より細かな傾斜角度の調節が可能になる。
【００５３】  次に、穴部１３間の距離を調節することで傾斜角度を調節することについて説明する。図１２Ａは穴部１３間の距離を離した場合における表示装置１の背面図である。ここでの穴部１３間（穴部１３ａと穴部１３ｅの間）の距離は上述した図３などの穴部１３間（穴部１３ａと穴部１３ｅの間）よりも長い。穴部１３の間の距離を長くすることによってスタンド１１が収納部１２の壁面１５に押し当てられるまでの回動域が大きくなるため、傾斜角度をより小さく調節することができる。すなわち、角度は穴部１３の間の距離によって決定される。
【００５４】  例えば、図１２Ｂに示すように、スタンド１１の突起部２２が穴部１３ｇに嵌合され、スタンド１１が収納部１２に収納されている状態を考える。この状態から、スタンド１１を回動させ、収納部１２から展開し、突起部２０の切り欠き部２２の平らな面をスリット１４における移動方向６１に対して平行にしてスリット１４ｃを介して突起部２０を他の穴部１３ｃへ移動させる。
【００５５】  移動後、スタンド１１をさらに回動させ、収納部１２の壁面１５に押し当てる際、移動後の穴部１３ｃが穴部１３ｇと距離が離れている、すなわち壁面１５と離れているため、スタンド１１はより大きく回動し、表示装置１の底面と机の設置面６０との間の角度が小さくなる。このように、穴部１３間の距離を調節することで傾斜角度を調節することができる。
【００５６】  上述したような表示装置によれば、限られたスペースで表示面の傾斜角度の調節を行うことができる。また、角度をつけるための部品点数を削減することができ、コストを削減することができる。また、スタンドの切り欠き部により、スリット移動が容易にでき、設置時（固定時）には突起部が他の穴部へ移動しにくい構造にすることができる。
【００５７】  また、上述した実施の形態は、上述したものに限定されるものではなく、実施の形態の要旨を逸脱しない範囲において種々の変更を加えることができる。
【符号の説明】
【００５８】  １  表示装置  １０  底面部  １１  スタンド  １２  スタンド収納部  １３  穴部  １４  スリット  １５  壁面  １６  配線群  ２０  突起部  ２１  切り込み部  ２２  切り欠き部  ３１  幅  ６０  机の設置面  ６１  スリットにおける移動方向
【図１】
2019130392.tif 000003
【図２】
2019130392.tif 000004
【図３】
2019130392.tif 000005
【図４】
2019130392.tif 000006
【図５】
2019130392.tif 000007
【図６Ａ】
2019130392.tif 000008
【図６Ｂ】
2019130392.tif 000009
【図６Ｃ】
2019130392.tif 000010
【図７Ａ】
2019130392.tif 000011
【図７Ｂ】
2019130392.tif 000012
【図７Ｃ】
2019130392.tif 000013
【図８Ａ】
2019130392.tif 000014
【図８Ｂ】
2019130392.tif 000015
【図８Ｃ】
2019130392.tif 000016
【図９Ａ】
2019130392.tif 000017
【図９Ｂ】
2019130392.tif 000018
【図９Ｃ】
2019130392.tif 000019
【図１０Ａ】
2019130392.tif 000020
【図１０Ｂ】
2019130392.tif 000021
【図１０Ｃ】
2019130392.tif 000022
【図１０Ｄ】
2019130392.tif 000023
【図１１Ａ】
2019130392.tif 000024
【図１１Ｂ】
2019130392.tif 000025
【図１１Ｃ】
2019130392.tif 000026
【図１１Ｄ】
2019130392.tif 000027
【図１２Ａ】
2019130392.tif 000028
【図１２Ｂ】
2019130392.tif 000029
【国際調査報告】
2019130392.tif 000030
2019130392.tif 000031
2019130392.tif 000032
2019130392.tif 000033